(57)【要約】      （修正有）【課題】マッサージベッドのシートの硬さで患者の背中に力を入れると痛くて耐えらなく、更に損傷を引き起こすことがないマッサージベッドを提供する。【解決手段】ヘッド部１、シート２、接続部４、ベッド脚部、分離部分３、バネ蝶番が含まれ、ヘッド部は接続部によってシートに連結固定され、シートはベッド脚部が取り付けられ、シートの中央に分離部分があり、分離部分はシートに連結され、分離部分の底面はバネ蝶番によってシートの底面の縁部に接続される構成とする。【選択図】図３
2016182330.tif 000002
【特許請求の範囲】
【請求項１】
改良されたマッサージベッドであって、ヘッド部（１）と、シート（２）と、接続部（４）と、ベッド脚部（５）とを含み、更に分離部分（３）と、バネ蝶番（６）とを含み、
前記ヘッド部（１）は前記接続部（４）を介して前記シート（２）に連結固定され、前記シート（２）は前記ベッド脚部（５）が取り付けられており、前記シート（２）の中央に前記分離部分（３）があり、前記分離部分（３）はシート（２）に連結し、前記分離部分（３）の底面は前記バネ蝶番（６）によって前記シート（２）の底面の縁部に接続する、改良されたマッサージベッド。
【請求項２】
前記ヘッド部（１）の中央に凹部（７）がある、請求項１に記載の改良されたマッサージベッド。
【請求項３】
前記凹部（７）が円形である、請求項２に記載の改良されたマッサージベッド。
【請求項４】
前記凹部（７）が線形である、請求項２に記載の改良されたマッサージベッド。
【請求項５】
前記バネ蝶番（６）が四つある、請求項１に記載の改良されたマッサージベッド。
【請求項６】
前記接続部（４）が弾性材料である、請求項１に記載の改良されたマッサージベッド。
【請求項７】
前記バネ蝶番（６）が、調節可能なバネを有する、請求項１に記載の改良されたマッサージベッド。
【請求項８】
前記ヘッド部（１）が円形である、請求項１に記載の改良されたマッサージベッド。
【請求項９】
前記ヘッド部（１）が長方形である、請求項１に記載の改良されたマッサージベッド。
【請求項１０】
前記ヘッド部（１）が弾性を有する、請求項１〜９のいずれか一項に記載の改良されたマッサージベッド。
【発明の詳細な説明】
【技術分野】
【０００１】
本発明はマッサージベッドに関し、特に改良されたマッサージベッドに関する。
【背景技術】
【０００２】
事務室で働いているサラリーマンは、背中と首筋の痛みで悩んでいることがあるので、その痛みが和らぐために脊椎マッサージが必要である。硬い筋肉がリラックスするように、マッサージ師が大きな力で治療を行う。患者が頭を伏せ、マッサージベッドに横になり、脊椎と肩を普通の位置に調節する。
【０００３】
従来のマッサージベッドはいくつかの水平方向分離部分があり、図１と図２のように示される。マッサージベッドは、患者の脊椎によって分離部分が上がり、マッサージ師が患者の背中に力を入れる。シートが硬くて力を和らげることができないせいで、患者が痛くて耐えらなく、更にひどい損傷が起こることがある。
【０００４】
この従来のシートデザインが患者の脊椎に損傷を引き起こしやすく、さらに患者の背中の一部が上げられた分離面に触れ合って治療されるので、単なるマッサージ師が患者の背中と脊椎を回すと、他の患部を治療することができる。
【発明の概要】
【０００５】
上記課題を解決するために、本発明は改良されたマッサージベッドを開示する。ヘッド部１、シート２、分離部分３、接続部４、ベッド脚部５、バネ蝶番６が含まれている。
【０００６】
上記ヘッド部１は接続部４によってシート２に連結して固定する。上記シート２はベッド脚部５が取り付けられている。上記シート２の中央に分離部分３がある。上記分離部分３はシート２に連結する。上記分離部分３の底面はバネ蝶番６によってシート２の底面の縁部に接続する。
【０００７】
最適な選択は上記ヘッド部１の中央に凹部７がある。
【０００８】
最適な選択は上記凹部７が円形である。
【０００９】
最適な選択は上記凹部７が線形である。
【００１０】
最適な選択は上記バネ蝶番６が四つがある。
【００１１】
最適な選択は上記接続部４が弾性材料である。
【００１２】
最適な選択は上記バネ蝶番６が調節できるバネである。
【００１３】
最適な選択は上記ヘッド部１が円形である。
【００１４】
最適な選択は上記ヘッド部１が長方形である。
【発明の効果】
【００１５】
本発明の構造が簡単で、科学的に合理的である。
【００１６】
この分離部分のデザインはマッサージ師が患者の脊椎に施術した力を和らげる機能があって、効果的に脊椎への二次損傷を防ぐ。また患者の背中全体はきちんと分離部分に触れ合って、科学的で効果的に患部を治療することができる。
【図面の簡単な説明】
【００１７】
【図１】図１は従来のマッサージベッドの平面図である。
【図２】図２は従来のマッサージベッドの正面図である。
【図３】図３は本発明の平面図である。
【図４】図４は本発明の正面図である。
【図５】図５は本発明のヘッド部（円形の凹部）の平面図である。
【図６】図６は本発明のヘッド部（長方形の凹部）の平面図である。
【発明を実施するための形態】
【００１８】
添付の図面を参照し、本発明につき詳しく説明する。
【００１９】
図３〜６に示されたように、改良されたマッサージベッドはヘッド部１、シート２、分離部分３、接続部４、ベッド脚部５、バネ蝶番６が含まれている。
【００２０】
上記ヘッド部１は接続部４によってシート２に連結固定する。上記シート２はベッド脚部５が取り付けられている。上記シート２の中央に分離部分３がある。上記分離部分３はシート２に連結する。上記分離部分３の底面はバネ蝶番６によってシート２の底面の縁部に接続する。
【００２１】
上記ヘッド部の中央に凹部７がある。上記凹部７は円形或いは線形であり、頭部を安定することができるし、施術する時に患者をマッサージベッドに伏せるとスムーズに呼吸することができる。上記バネ蝶番６は四つある。上記接続部４は弾性材料である。上記バネ蝶番６は調節できるバネである。上記ヘッド部１は円形或いは長方形である、弾力性もある。
【００２２】
患者が上記マッサージベッドのシート２に伏せて、マッサージ師が患者の背中に力を入れる時、上記バネ蝶番６が圧縮して変形し、分離部分３は下に開いて、内側に折れ、患者の背中が耐えられる力を和らげるおかげで、頸椎、腰椎、骨盤の損傷が少なくなる。患者の頸椎、腰椎、骨盤は和らげた力に耐えられるので、合理的な調整と治療を得る。
【００２３】
上記の具体的な実施方法はただ本発明を詳しく説明するために例を挙げることであり、実施態様を限定することではない。この当業者にとって、上記のように説明したことに基づき、様々な変更をなすことができる。ここでは全ての方法を挙げるのは無理であり、その必要もない。これによって明からに分かる変化や変更も本発明の保護範囲にある。
【符号の説明】
【００２４】
１、ヘッド部
２、シート
３、分離部分
４、接続部
５、ベッド脚部
６、バネ蝶番
７、凹部
【図１】
2016182330.tif 000003
【図２】
2016182330.tif 000004
【図３】
2016182330.tif 000005
【図４】
2016182330.tif 000006
【図５】
2016182330.tif 000007
【図６】
2016182330.tif 000008